(57)【特許請求の範囲】
【請求項１】
壁面に対し固定して使用される手摺において、
壁面に当接した状態で固定されるブッシュと、
前記ブッシュの外周面に設けられたネジ孔と、
前記ブッシュが挿入される筒状の端部を有する手摺バーと、
前記手摺バーの端部の周壁に設けられた貫通孔と、
前記手摺バーの端部の内周面を前記ブッシュの外周面に押圧した状態で固定するため前記貫通孔を挿通して前記ネジ孔に螺着される固定ネジと、を備え、
前記ブッシュから引き抜く方向への前記手摺バーの移動を規制するため、前記ブッシュの外周面と前記手摺バーの端部の内周面との間に、係合突起と、当該係合突起が嵌入離脱可能な係合凹部とからなる係合機構を設け、
前記係合機構は、前記ネジ孔に対する前記固定ネジのねじ込みに伴って前記係合凹部に対する前記係合突起の嵌入深さが増大することを特徴とする手摺。
【請求項２】
前記係合突起を前記ブッシュの外周面に設け、前記係合凹部を前記手摺バーの端部の周壁に設け、前記固定ネジ及び前記ネジ孔の軸線方向と前記係合凹部に対する前記係合突起の嵌入方向とが略平行をなすように配置したことを特徴とする請求項１記載の手摺。
【請求項３】
前記係合突起は、前記ブッシュを前記手摺バーの端部へ挿入するときに前記端部の内周面に接触して前記係合凹部への嵌入方向と異なる方向に弾性変形するものであって、前記ブッシュの外周面の前記ネジ孔より壁面側の位置に前記係合突起を設けたことを特徴とする請求項２記載の手摺。
【請求項４】
前記係合突起として、前記係合凹部に嵌入離脱可能な凸状部を有する板バネ部材を前記ブッシュの外周面に着脱可能に取り付けたことを特徴とする請求項２記載の手摺。
【発明の詳細な説明】
【技術分野】
【０００１】
本発明は、一般住宅や公共施設などの各種建造物の壁面に設けられる手摺に関する。
【背景技術】
【０００２】
本願発明に関連する従来の技術として、図６，図７に示すような手摺６０が知られている（例えば、特許文献１参照。）。この手摺６０は、壁面６１に対し固定されたブッシュ６２を管状の手摺バー６３の端部６３ａに挿入することにより、手摺バー６３が壁面６１に固定されている。具体的には、手摺バー６３の端部６３ａに設けられた貫通孔６３ｃに、手摺バー固定用のネジ６４を挿通させ、このネジ６４を、ブッシュ６２に設けられたネジ孔６２ａにねじ込むことにより、手摺バー６３がブッシュ６２に対し固定されている。
【０００３】
【特許文献１】特開平９−３２４５６３号公報
【発明の開示】
【発明が解決しようとする課題】
【０００４】
図６，図７に示す従来の手摺６０の場合、手摺バー６３の端面６３ｂを、壁面６１、あるいはブッシュ６２に設けられた鍔部等（図示せず）に当接させて隙間が生じないように取付けるとき、構成部材の寸法誤差などから生じる、手摺バー６３の貫通孔６３ｃと、ブッシュ６２のネジ孔６２ａとの位置ズレを補完するため、貫通孔６３ｃの内径は、ネジ孔６２ａの内径より大きく設定する必要がある。従って、手摺バー６３に大きな力が加わったとき、ブッシュ６２に対する手摺バー６３のガタつきが生じ、手摺６０の使用感が損なわれることがある。
【０００５】
本発明が解決しようとする課題は、施工が容易で、手摺バーのガタつきが発生し難い手摺を提供することにある。
【課題を解決するための手段】
【０００６】
本発明の手摺は、壁面に対し固定して使用される手摺において、
壁面に当接した状態で固定されるブッシュと、前記ブッシュの外周面に設けられたネジ孔と、前記ブッシュが挿入される筒状の端部を有する手摺バーと、前記手摺バーの端部の周壁に設けられた貫通孔と、前記手摺バーの端部の内周面を前記ブッシュの外周面に押圧した状態で固定するため前記貫通孔を挿通して前記ネジ孔に螺着される固定ネジと、を備え、
前記ブッシュから引き抜く方向への前記手摺バーの移動を規制するため、前記ブッシュの外周面と前記手摺バーの端部の内周面との間に、係合突起と、当該係合突起が嵌入離脱可能な係合凹部とからなる係合機構を設け、
前記係合機構は、前記ネジ孔に対する前記固定ネジのねじ込みに伴って前記係合凹部に対する前記係合突起の嵌入深さが増大することを特徴とする。
【０００７】
このような構成とすれば、壁面に当接させて固定したブッシュを手摺バーの端部に挿入し、手摺バーの端部をブッシュに対して固定ネジで固定する際に、手摺バーの端部の内周面がブッシュの外周面に押圧されて固定されるとともに、固定ネジのねじ込みに伴って係合突起が係合凹部に深く嵌入される。この係合突起と係合凹部からなる係合機構は、その係合によって手摺バーの引き抜き方向の移動を規制するよう構成されている。従って、固定ネジのねじ込みにより、手摺バーの端部をブッシュに対し固定するとともに、ブッシュに対する手摺バーのガタつきを確実に抑制することができる。
【０００８】
ここで、前記係合突起を前記ブッシュの外周面に設け、前記係合凹部を前記手摺バーの端部の周壁に設け、前記固定ネジ及び前記ネジ孔の軸線方向と前記係合凹部に対する前記係合突起の嵌入方向とが略平行をなすように配置することが望ましい。このような構成とすれば、係合凹部に対する係合突起の挿入深さが、固定ネジのねじ込みに伴って最も増大しやすい形態となるため、ガタつき抑制機能が向上する。
【０００９】
また、前記係合突起は、前記ブッシュを前記手摺バーの端部へ挿入するときに前記端部の内周面に接触して前記係合凹部への嵌入方向と異なる方向に弾性変形するものであって、前記ブッシュの外周面のネジ孔より壁面側に前記係合突起を設けることが望ましい。このような構成とすれば、手摺の施工の際、壁面に当接させて固定したブッシュを手摺バーの端部へ挿入し、係合突起が係合凹部に嵌入する位置まで手摺バーを壁面側へ押し込むことにより、固定ネジをねじ込む前に、手摺バーの仮固定を行うことができる。
【００１０】
ここで、仮に、ブッシュの外周面のネジ孔より前方側の位置に係合突起が設けられている場合（つまり、係合突起より壁面側の位置にネジ孔が設けられている場合）、この押し込みの過程において、係合突起が手摺バーの端部の係合凹部より先に貫通孔に嵌入してしまうことがある。即ち、この仮定では、手摺バーの端部において固定ネジが挿通される貫通孔を係合凹部より壁面側の位置に設ける必要があるため、上記押し込みの過程で、係合突起がまず貫通孔に嵌入してしまうものであり、これにより引っ掛かりが生じ、施工性が低下してしまうことがある。
【００１１】
そこで、前述したように、ブッシュの外周面のネジ孔より壁面側に係合突起を設ける構成とすれば、上記押し込みの過程で係合突起が手摺バーの端部の貫通孔に嵌入してしまうことがないので、引っ掛かりの生じない、スムーズな施工が可能となる。
【００１２】
前記係合突起として、前記係合凹部に嵌入離脱可能な凸状部を有する板バネ部材を前記ブッシュの外周面に着脱可能に取り付けることができる。このような構成とすれば、ブッシュに弾性変形を可能とするような部位を形成するなどして、その強度を低下させることなく、確実な係合状態を得ることができる。
【発明の効果】
【００１３】
本発明により、施工が容易で、手摺バーのガタつきが発生し難い手摺を提供することができる。
【発明を実施するための最良の形態】
【００１４】
以下、図面に基づいて本発明の実施の形態について説明する。図１は本発明の実施の形態である手摺を示す斜視図、図２は図１に示す手摺の一部分解斜視図、図３は図１に示す手摺を構成する板バネ部材の斜視図、図４は図１に示す手摺の一部垂直断面図である。
【００１５】
図１，図２に示すように、本実施形態の手摺１０は、壁面１１に対し固定して使用されるものであり、壁面１１に当接した状態で固定されるブッシュ１２と、ブッシュ１２の外周面１２ｈに設けられたネジ孔１３と、ブッシュ１２が挿入される円筒状の端部１４ａを有する手摺バー１４と、手摺バー１４の端部１４ａの周壁に設けられた貫通孔１５と、手摺バー１４の端部１４ａの内周面１４ｕをブッシュ１２の外周面１２ｈに押圧した状態で固定するため貫通孔１５を挿通してネジ孔１３に螺着される固定ネジ１６と、を備えている。図４に示すように、手摺バー１４は、円管状のステンレス管１４ｓと、その外周を覆う塩化ビニルからなる被覆管１４ｔと、で構成された二重管構造である。
【００１６】
また、ブッシュ１２から引き抜く方向への手摺バー１４の移動を規制するため、ブッシュ１２の外周面１２ｈと手摺バー１４の端部１４ａの内周面１４ｕとの間に、凸状部２０ａと、当該凸状部２０ａが嵌入離脱可能な係合凹部１７とからなる係合機構１８が設けられている。この係合機構１８は、後述するように、ネジ孔１３に対する固定ネジ１６のねじ込みに伴って係合凹部１７に対する凸状部２０ａの嵌入深さが増大するように構成されている。
【００１７】
図２に示すように、ブッシュ１２は、略円筒状の本体部１２ａの基端にフランジ状の鍔部１２ｂが設けられ、先端部１２ｃは円錐台形状に縮径している。また、本体部１２ａの先端部１２ｃから鍔部１２ｂに至るまで、その軸心と同軸上に貫通孔１２ｄが設けられている。本体部１２ａ基部と鍔部１２ｂ前面との境界部分には、手摺バー１４の端縁部１４ｂを嵌入させるための円形溝１２ｅが設けられている。
【００１８】
ブッシュ１２は、その鍔部１２ｂ背面を壁面１１に密着させ、先端部１２ｃから貫通孔１２ｄに挿入した固定ボルト１９の先端側を壁面１１に螺着させることによって固定されている。この場合、固定ボルト１９の頭部１９ａと先端部１２ｃとの間には平ワッシャ１９ｃが介在されている。また、ブッシュ１２の本体部１２ａの鍔部１２ｂ寄りの部分には、板バネ部材２０を着脱可能に装着するための周溝１２ｆが設けられ、周溝１２ｆの底部の２箇所に、板バネ部材２０両端の係止片２０ｂを嵌入させるための凹状の係止部１２ｇが設けられている。また、２つの係止部の間の周溝１２ｆの鍔部１２ｂ側に、板バネ部材２０の凸状部２０ａが進入可能な退避凹部２１が設けられている。
【００１９】
図３に示すように、係合突起を構成する板バネ部材２０は、弾性金属板で形成された円弧状の本体部２０ｃと、その両端を円弧内側に折り曲げて形成された一対の係止片２０ｂと、本体部２０ｃの中央の一方の側縁に突設された舌片状の凸状部２０ａと、を備えている。凸状部２０ａは、本体部２０ｃの円弧外側に突出した状態に形成され、その断面はく字状をなしている。
【００２０】
図２に示すように、板バネ部材２０は、その本体部２０ｃをブッシュ１２の周溝１２ｆに沿って嵌め込み、両端の係止片２０ｂをそれぞれ係止部１２ｇに嵌入させることによってブッシュ１２に装着される。板バネ部材２０がブッシュ１２に装着されたとき、ブッシュ１２の退避凹部２１の外側に凸状部２０ａが位置するため、ブッシュ１２の軸心に向かう径方向の外力が加わったり、解除されたりすると、凸状部２０ａは退避凹部２１に進入したり、出たりする。
【００２１】
ブッシュ１２に板バネ部材２０が装着された状態で、手摺バー１４の端部１４ａをブッシュ１２の先端部１２ｃに向け、手摺バー１４を壁面１１に向かって押し込むと、ブッシュ１２が手摺バー１４の端部１４ａからその内部に入り込む。このとき、板バネ部材２０の凸状部２０ａは、手摺バー１４の端部１４ａの内周面１４ｕに接触して押圧されることにより弾性変形して退避凹部２１内に進入する。さらに手摺バー１４を押し込み、係合凹部１７が凸状部２０ａと対応する位置まで来ると、凸状部２０ａは退避凹部２１から出て、係合凹部に嵌入する。この後、固定ネジ１６を貫通孔１５からネジ孔１３にねじ込むと、図４，図５に示すように、手摺バー１４が壁面１１に固定された状態となる。
【００２２】
この固定ネジ１６のねじ込みに伴い、手摺バー１４の端部１４ａの内周面１４ｕはブッシュ１２の外周面１２ｈに押圧される。従って、ネジ孔１３に対する固定ネジ１６のねじ込みに伴って凸状部２０aが係合凹部１７に深く嵌入され、これによって、手摺バー１４の引き抜き方向の移動が規制されるため、ブッシュ１２に対する手摺バー１４のガタつきを確実に抑制することができ、手摺１０は使用感に優れたものとなる。
【００２３】
また、図５に示すように、凸状部２０aを有する板バネ部材２０はブッシュ１２の外周面１２ｈに装着され、係合凹部１７は手摺バー１４の端部１４ａの周壁に設けられ、固定ネジ１６及びネジ孔１３の軸線方向Ｌ１と係合凹部１７に対する凸状部２０aの嵌入方向Ｌ２とが略平行をなすように配置されている。従って、係合凹部１７に対する凸状部２０aの挿入深さが、固定ネジ１６のねじ込みに伴って最も増大しやすい形態となるため、優れたガタつき抑制機能を発揮する。
【００２４】
さらに、図４，図５に示すように、ブッシュ１２の外周面１２ｈのネジ孔１３より壁面１１側の位置に凸状部２０aが設けられているため、ブッシュ１２を手摺バー１４の端部１４ａへ挿入するとき、凸状部２０aは手摺バー１４の端部１４ａの内周面１４ｕに接触して係合凹部１７への嵌入方向Ｌ２と逆方向に弾性変形した後、係合凹部１７に嵌入する。従って、手摺バー１４をブッシュ１２の外周面１２ｈに沿ってスライドさせるだけで、手摺バー１４の端部１４ａにブッシュ１２をスムーズに挿入することができ、施工性も良好である。
【００２５】
一方、係合凹部１７に嵌入離脱可能な凸状部２０aを有する板バネ部材２０をブッシュ１２の外周面１２ｈに着脱可能に取り付けているため、ブッシュ１２の強度を低下させることなく、確実な係合状態を得ることができる。
【産業上の利用可能性】
【００２６】
本発明の手摺は、一般住宅や公共施設などの各種建造物の壁面などに取り付けて広く使用することができる。
【図面の簡単な説明】
【００２７】
【図１】本発明の実施の形態である手摺を示す斜視図である。
【図２】図１に示す手摺の一部分解斜視図である。
【図３】図１に示す手摺を構成する板バネ部材の斜視図である。
【図４】図１に示す手摺の一部垂直断面図である。
【図５】図４の一部拡大図である。
【図６】従来の手摺の一部垂直断面図である。
【図７】図６の一部拡大図である。
【符号の説明】
【００２８】
１０  手摺
１１  壁面
１２  ブッシュ
１２ａ，２０ｃ  本体部
１２ｂ  鍔部
１２ｃ  先端部
１２ｄ  貫通孔
１２ｅ円形溝
１２ｆ  周溝
１２ｇ  係止部
１２ｈ  外周面
１３  ネジ孔
１４  手摺バー
１４ａ  端部
１４ｂ  端縁部
１４ｓ  ステンレス管
１４ｔ  被覆管
１４ｕ  内周面
１５  貫通孔
１６  固定ネジ
１７  係合凹部
１８  係合機構
１９  固定ボルト
１９ａ  頭部
１９ｃ  平ワッシャ
２０  板バネ部材
２０ａ  凸状部
２０ｂ  係止片
２１  退避凹部
Ｌ１  軸線方向
Ｌ２  嵌入方向
【図１】
0005045465.tif 000002
【図２】
0005045465.tif 000003
【図３】
0005045465.tif 000004
【図４】
0005045465.tif 000005
【図５】
0005045465.tif 000006
【図６】
0005045465.tif 000007
【図７】
0005045465.tif 000008